(57)【要約】【課題】球詰まりの解消と保守作業の容易とを図る。【解決手段】払出機構３の払出構造体４がタンク構造体２の内部に挿入され、払出機構３の機構躯体６がタンク構造体２の右側面に重ね合わされ、止ねじ７が機構躯体６の外側から筐体取付部８を経由してタンク構造体２の機構取付部９に締結され、払出機構３およびタンク構造体２が互いに組み立てられ、組み立てられた球払出装置１では、タンク構造体２の球貯蔵部１０の供給口１１から下方に突出した払出収容部１２に配置された払出構造体４が、球貯蔵部１０から供給口１１に向けて移動する球から受ける球圧の方向と払出構造体４により球を球出口に向けて移動する方向とが同じ方向となるように、払出モータ１３で正転方向に駆動され、払出構造体４が円滑に回転し、球詰まりを発生しにくく、球が球貯蔵部１０から円滑に払い出される。【選択図】図１
2007111259.tif 000002
【特許請求の範囲】
【請求項１】
払出機構の払出構造体、払出構造体を駆動する払出モータ、払出構造体から払い出される球を検出する払出球検出器、払出モータや払出球検出器からなる電気部品を配線する中継基板が、払出機構の機構躯体と検出構造体とからなる容器の内部に格納され、払出構造体の容器から突出する螺旋体の部分がタンク構造体の払出収容部にタンク構造体の外側から挿入され、払出機構の容器がタンク構造体の外側に取り付けられ、払出構造体がタンク構造体の球から受ける球圧の方向と払出構造体が球をタンク構造体から払出機構に向けて移動する方向とが同じ方向となるように、払出モータが払出構造体を一方向に駆動することを特徴とする遊技機の球払出装置。
【請求項２】
払出機構がタンク構造体に固定されることによって、払出構造体の螺旋体が払出機構の球を払い出す通路からタンク構造体の方向に配置されたことを特徴とする請求項１記載の遊技機の球払出装置。
【請求項３】
払出機構から払い出される球を賞球として誘導する賞球通路と、払出機構から払い出される球を抜球として誘導する抜球通路と、払出機構から払い出される球を賞球通路または抜球通路に案内する切替弁とが容器の内部に格納され、この切替弁が払出機構の払出軸の軸心と平行な方向に往復回転運動することを特徴とする請求項１記載の遊技機の球払出装置。
【発明の詳細な説明】
【技術分野】
【０００１】
本発明は、球詰まりの解消と保守作業の容易とが図れる遊技機の球払出装置に関する。
【背景技術】
【０００２】
遊技機の球払出装置には、次の構造を有するものが知られている。それは、タンク構造体の底面に開口部が形成され、開口部の下部に位置するように、タンク構造体の下部に払出機構が設けられ、払出機構における螺旋状の払出構造体がタンク構造体の内部に設けられ、払出機構の払出モータがタンク構造体の外部に設けられ、球がタンク構造体の内部に供給された状態において、払出モータが払出構造体を周方向に回転するように一方向に駆動することによって、払出構造体が球を１個ずつ分離してタンク構造体から払出球検出器の側に払い出している。しかしながら、払出構造体がタンク構造体から開口部に向けて移動する球から受ける球圧の方向とタンク構造体から開口部を経由して機構躯体の内部空間に流れ込んで払出構造体で前後に分けられるとともに払出構造体の隙間に分離されて１個ずつ取り込まれた球を払出球検出器に向けて移動する方向とが逆の方向になっているので、払出構造体に負担がかかり過ぎ、球詰まりを発生しやすいという欠点がある。そして、球詰まりが発生した場合、払出構造体や払出モータをタンク構造体から取り外し、詰まった球を払出機構の内部から除去しなければならず、詰まった球を払出機構の内部から除去する保守作業が面倒であるという欠点がある。
【特許文献１】特開平８−１０４１５号公報
【発明の開示】
【発明が解決しようとする課題】
【０００３】
発明が解決しようとする問題点は、球詰まりを発生しやすいうえ、球詰まりを発生した場合の保守作業が面倒であるという点である。
【課題を解決するための手段】
【０００４】
本発明に係る遊技機の球払出装置は、払出機構の払出構造体、払出構造体を駆動する払出モータ、払出構造体から払い出される球を検出する払出球検出器、払出モータや払出球検出器からなる電気部品を配線する中継基板が、払出機構の機構躯体と検出構造体とからなる容器の内部に格納され、払出構造体の容器から突出する螺旋体の部分がタンク構造体の払出収容部にタンク構造体の外側から挿入され、払出機構の容器がタンク構造体の外側に取り付けられ、払出構造体がタンク構造体の球から受ける球圧の方向と払出構造体が球をタンク構造体から払出機構に向けて移動する方向とが同じ方向となるように、払出モータが払出構造体を一方向に駆動することを最も主要な特徴とする。払出機構がタンク構造体に固定されることによって、払出構造体の螺旋体が払出機構の球を払い出す通路からタンク構造体の方向に配置されたり、払出機構から払い出される球を賞球として誘導する賞球通路と、払出機構から払い出される球を抜球として誘導する抜球通路と、払出機構から払い出される球を賞球通路または抜球通路に案内する切替弁とが容器の内部に格納され、この切替弁が払出機構の払出軸の軸心と平行な方向に往復回転運動したりするようにしてもよい。
【発明の効果】
【０００５】
本発明に係る遊技機の球払出装置は、払出機構の払出構造体がタンク構造体の外側からタンク構造体の内部に挿入され、払出機構の容器がタンク構造体に止ねじで取り付けられることによって構成され、払出構造体がタンク構造体の球から受ける球圧の方向と払出構造体が球をタンク構造体から払出機構に向けて移動する方向とが同じ方向となるように、払出モータが払出構造体を一方向に駆動するので、払出構造体が円滑に回転し、球詰まりを発生しにくく、タンク構造体から球を円滑に払い出すことができるうえ、作業者が止ねじを球払出装置から取り外した後、作業者が払出構造体のタンク構造体への挿入方向と逆方向に払出機構を引き出すことによって、払出機構がタンク構造体から取り外されるので、球払出装置の内部から球や異物を除去する保守作業が容易であるという利点がある。払出機構がタンク構造体に固定されることによって、払出構造体の螺旋体が払出機構の球を払い出す通路からタンク構造体の方向に配置されれば、螺旋体によってタンク構造体から払出機構の内部に運搬された球は、螺旋体から離れて自重で落下するので、その部分で、球詰まりが発生することを阻止することができるという利点がある。払出機構から払い出される球を賞球として誘導する賞球通路と、払出機構から払い出される球を抜球として誘導する抜球通路と、払出機構から払い出される球を賞球通路または抜球通路に案内する切替弁とが容器の内部に格納され、この切替弁が払出機構の払出軸の軸心と平行な方向に往復回転運動すれば、払出構造体によってタンク構造体から払出機構に運搬された球を賞球通路または抜球通路に誘導するように通路を切り替える場合における切替駆動源で切替弁を動かすためのリンク機構が、簡単な構造でよいという利点がある。
【発明を実施するための最良の形態】
【０００６】
図１乃至図１２は、発明を実施するための最良の形態である。図１は、タンク構造体２と払出機構３とが分解された遊技機の球払出装置１を示す。図２は、タンク構造体２と払出機構３とを互いに組み合わせられかつ中継樋３１が分解された遊技機の球払出装置１を示す。図３は、払出構造体４、機構躯体６、払出モータ１３、中継基板４１、軸受構造体４２、駆動歯車４３、従動歯車４４、被検出体４５を分解して示す。図４のａ図は、切替構造体９４の左側を分解して示す。図４のｂ図は、切替構造体９４の左側を組み立てて示す。図５のａ図は、切替構造体９４の右側を分解して示す。図５のｂ図は、切替構造体９４の右側を組み立てて示す。図６は、切替構造体９４を機構躯体６に取り付ける組立方を示す。図７のａ図は、検出構造体１４４の左側を分解して示す。図７のｂ図は、検出構造体１４４の右側を示す。図８のａ図は、検出構造体１４４を機構躯体６に取り付ける組立方を示す。図８のｂ図は、検出構造体１４４と機構躯体６とが互いに組み立てられた構造を示す。図９は、タンク構造体２と払出機構３とが互いに取り付けられる過程の断面を示す。図１０は、球Ｐ２が賞球通路１５０に払い出される過程の断面を示す。図１１は、球Ｐ２が抜球通路部１００に払い出される過程の断面を示す。図１２のａ図は、球払出装置１を備えたパチンコ遊技機の裏面を示す。本明細書において、「前」、「後」、「裏」、「左」、「右」、「上」、「下」の方向は、図１の状態に球払出装置１を置いて矢印Ａで示す前側から見た場合に特定される方向である。「後」と「裏」とは同じ方向である。
【０００７】
図１を参照し、遊技機の球払出装置１の構造について説明する。球払出装置１は、タンク構造体２および払出機構３を備える。そして、払出機構３の払出構造体４がタンク構造体２の右外側からタンク構造体２の内部に挿入され、払出機構３の払出球検出器５がタンク構造体２の下部に配置され、払出機構３の機構躯体６がタンク構造体２の右側面に重ね合わされ、タッピングスクリューのような止ねじ７が機構躯体６の外側から筐体取付部８を経由してタンク構造体２の機構取付部９に締結される。これによって、払出機構３およびタンク構造体２が互いに一体となるように組み立てられ、球払出装置１が図２に示す形状に構成される。組み立てられた球払出装置１では、タンク構造体２の球貯蔵部１０の供給口１１から下方に突出した払出収容部１２に配置された払出構造体４が、球貯蔵部１０から供給口１１に向けて移動する球から受ける球圧の方向と払出構造体４により球を球出口に向けて移動する方向とが同じ方向となるように、払出モータ１３で一方向に駆動されるので、払出構造体４が円滑に回転し、球詰まりを発生しにくく、球貯蔵部１０から球を円滑に払い出すことができるという利点がある。球が払い出される過程において、球払出装置１の内部に球詰まりが発生した場合、作業者が止ねじ７を球払出装置１から取り外した後、作業者が上記払出構造体４および払出球検出器５のタンク構造体２への挿入方向と逆方向に払出機構３を引き出すことによって、払出機構３がタンク構造体２から取り外されるので、詰まった球を球払出装置１の内部から除去する保守作業が容易であるという利点がある。払出機構３については、図３乃至図５で詳述する。
【０００８】
タンク構造体２は、球貯蔵部１０および基板収容部１５を備える。球貯蔵部１０および基板収容部１５の配置は、球貯蔵部１０が後側で、基板収容部１５が前側である。球貯蔵部１０は、遊技機設置構造体の補給機構から排出されたパチンコ球と呼ばれる球を貯蔵する部屋であって、上方に開口した箱形の部屋として構成される。球貯蔵部１０の底壁には、供給口１１、払出収容部１２、庇１６が設けられる。球貯蔵部１０の底壁における球と接触する底面は、球が球貯蔵部１０の周囲から供給口１１に向けて流れる斜面を形成する。供給口１１は、右側で前後方向の中央部に位置し、上下方向に貫通、左右方向に長い方形に形成される。払出収容部１２は、供給口１１から下方に窪む空間を形成する。庇１６は、供給口１１の右側部を塞ぎ、球貯蔵部１０に貯蔵された球が払出構造体４に取り込まれて右側部に到達した球と干渉しないように、球貯蔵部１０から供給口１１への球の流入を阻止する。払出収容部１２の左側壁には、払出軸受孔１７が設けられる。払出収容部１２の底部には、払出逃避孔１８および異物排出孔１９が設けられる。
【０００９】
タンク構造体２の右側壁には、機構取付部９、上開口２１、下開口２２が設けられる。機構取付部９は、タンク構造体２の右側壁の四隅から右側に突出した筒状として構成される。上開口２１は、払出収容部１２の右側壁に対応する部分の全体を除去した形態であって、払出構造体４が挿入されることによって、払出構造体４の前後に球を１個ずつ払出機構３に供給する導出口を形成する。下開口２２は、払出球検出器５を取り込むように、左右方向への貫通孔として構成される。球貯蔵部１０および基板収容部１５の間における隔壁２３には、補給検出機構２４および球切れ検出機構２５が装着される。補給検出機構２４は、球貯蔵部１０に貯蔵された球の個数が少ないことを検出して補給信号を出力する。補給信号が遊技店の店営業を管理するホールコンピュータに出力されることによって、ホールコンピュータが遊技機設置構造体の補給機構を駆動し、補給機構が球を球貯蔵部１０に補給する。球切れ検出機構２５は、球貯蔵部１０に貯蔵された球の個数が補給検出機構２４で検出する数量よりも少ないことを検出して球切れ信号を出力する。球切れ信号が遊技店の店営業を管理するホールコンピュータに出力されることによって、ホールコンピュータが補給機構から球貯蔵部１０への球の補給の行われない異常を遊技店の店員に知らせる報知処理を行う。
【００１０】
基板収容部１５は、上方に開口した箱形の部屋として構成される。基板収容部１５の底壁には、中継基板２６が、上方からタッピングスクリューのような図外の止ねじで取り付けられる。中継基板２６は、球払出装置１に関係する電気部品の全ての配線を集中的に接続するものであって、プリント配線板のような回路基板の上面に、コネクタ２７を複数実装した構造である。コネクタ２７は、中継基板２６に付設されたプリント配線のような薄状の配線で、電気回路を構成するように相互に接続される。
【００１１】
図２を参照し、払出機構３に取り付けられる中継樋３１について説明する。中継樋３１は、賞球通路３２、抜球通路３３、差込部３４、係合部３５、連結体３６を備え、払出機構３の下部に連結される。払出機構３が、球貯蔵部１０に貯蔵された球を、賞球として払い出す機能および抜球として排出する機能を備えたことから、中継樋３１が賞球通路３２および抜球通路３３を備えたが、払出機構３が球を、賞球として払い出す機能だけを備える場合は、中継樋３１が賞球通路３２を備えるだけである。中継樋３１の払出機構３への組立方について説明する。中継樋３１の賞球通路３２が機構躯体６の右側壁の方向に向けられ、中継樋３１の差込部３４が機構躯体６の右側から樋取付部６０（図３参照）に挿入され、中継樋３１が右側から左側に動かされると、中継樋３１の係合部３５が機構躯体６の下右係合部５８（図３参照）に下方から嵌め込まれる。これによって、中継樋３１が機構躯体６に取り付けられ、賞球通路３２が右側に位置して切替収容部５９（図３参照）の下方に配置され、抜球通路３３が左側に位置して切替収容部５９の下方に配置される。
【００１２】
図３を参照し、払出機構３における払出構造体４、機構躯体６、払出モータ１３、中継基板４１、軸受構造体４２、駆動歯車４３、従動歯車４４、被検出体４５の構造について説明する。機構躯体６は、左側が開口した箱形である。機構躯体６の開口を囲む周壁には、筐体取付部８およびねじ逃避部４７が設けられる。機構躯体６の周壁は、上側壁、下側壁、前側壁、後側壁から構成される。よって、周壁の四隅は、上側壁と下側壁とが互いに繋がる部分、上側壁と前側壁とが互いに繋がる部分、前側壁と下側壁とが互いに繋がる部分、下側壁と後側壁とが互いに繋がる部分である。筐体取付部８は、開口の四隅に配置される。ねじ逃避部４７は、筐体取付部８と対応する周壁の四隅から内部に突出する窪みを形成する。筐体取付部８には、位置決め部４８およびねじ挿入孔４９が設けられる。位置決め部４８は、筐体取付部８の左面から右側に向かう内部に窪む凹部として構成される。ねじ挿入孔４９は、位置決め部４８に貫通し、左右方向への貫通孔として、筐体取付部８の左面に構成される。
【００１３】
機構躯体６の開口と対向する右側壁には、モータ取付部５０、基板取付部５１、切替取付部５２、軸受取付部５３、位置決め部５４が設けられる。モータ取付部５０は、右側壁の前上部および下後部に配置される一対であって、右側壁から左側に突出した筒状として構成される。基板取付部５１は、モータ取付部５０よりも内側の４箇所に配置され、右側壁から左側に突出した筒状として構成される。切替取付部５２は、基板取付部５１よりも内側の２箇所に配置され、右側壁から左側に突出した筒状として構成される。軸受取付部５３は、切替取付部５２よりも内側の２箇所に配置され、右側壁から左側に突出した突起として構成される。位置決め部５４は、軸受取付部５３の間に配置され、左右方向への貫通孔として構成される。機構躯体６の右側壁から左側に突出する、モータ取付部５０の高さ、基板取付部５１の高さ、切替取付部５２の高さ、軸受取付部５３の高さは、モータ取付部５０が最も高く、切替取付部５２が二番に高く、基板取付部５１が三番に高く、軸受取付部５３が最も低い。
【００１４】
機構躯体６の前側壁には、配線孔５５が設けられる。配線孔５５は、前側壁の左面から右側に向かう内部に窪み、左側および前後方向に開口する溝として構成される。機構躯体６の上側壁には、上係合部５６が、前後に分かれて設けられる。上係合部５６は、上下方向への貫通孔として構成される。機構躯体６の下側壁には、下左係合部５７、下右係合部５８、切替収容部５９、樋取付部６０が設けられる。下左係合部５７は、前後に分かれ、上下方向への貫通孔として構成される。下右係合部５８は、前後方向の中央に位置し、上下方向への貫通孔として構成される。切替収容部５９は、下左係合部５７の間に配置され、下側壁の左面から右側に向かう内部に窪み、左側および上下方向に開口する溝として構成される。樋取付部６０は、切替収容部５９の前後に配置される。切替収容部５９の前側に配置される樋取付部６０は、機構躯体６の下側壁と当該下側壁から下方に突出する縦壁と当該縦壁から後側に突出する横壁とからなる溝として構成される。切替収容部５９の後側に配置される樋取付部６０は、機構躯体６の下側壁と当該下側壁から下方に突出する縦壁と当該縦壁から前側に突出する横壁とからなる溝として構成される。
【００１５】
中継基板４１は、プリント配線板のような回路基板により構成される。中継基板４１の左面には、コネクタ６３；６４；６５、抵抗やコンデンサなどの図外の電気部品、位置検出器６６、抜球検出器６７が実装される。コネクタ６３乃至６５、電気部品、位置検出器６６、抜球検出器６７は、中継基板４１の右面に付設されたプリント配線のような薄状の配線で、電気回路を構成するように接続される。中継基板４１には、ねじ挿入孔６８、切替逃避孔６９、軸逃避孔７０が設けられる。ねじ挿入孔６８は、基板取付部５１と対応し、左右方向への貫通孔として構成される。切替逃避孔６９は、切替取付部５２と対応し、左右方向への貫通孔として構成される。軸逃避孔７０は、位置決め部５４と対応し、左右方向への貫通孔として構成される。
【００１６】
軸受構造体４２は、テフロン(登録商標)のような潤滑性の有る合成樹脂により、構造基盤７２、位置決め部７３、躯体取付部７４、軸受孔７５を備えた、単一体として構成される。構造基盤７２は、方形な板状である。構造基盤７２における左右方向の厚さは、基板取付部５１の高さよりも薄い。位置決め部７３は、構造基盤７２の右面に設けられ、構造基盤７２の右面から右側に突出し、機構躯体６の位置決め部５４に整合して嵌め込まれる突起として構成される。位置決め部７３における構造基盤７２の右面からの突出量である高さは、機構躯体６の右側壁における左右方向の厚さよりも小さい。躯体取付部７４は、機構躯体６の軸受取付部５３に整合して嵌め込まれる、左右方向への貫通孔として構成される。軸受孔７５は、構造基盤７２の左面から右側に向かう内部に窪み、払出構造体４における払出軸８２の右端部を回転可能に支持し得るように嵌め込む、凹部として構成される。
【００１７】
払出モータ１３は、取付足７７およびモータ配線７８を備える。取付足７７は、払出モータ１３のモータケースから外側に突出して設けられる。取付足７７には、ねじ挿入孔７９が、左右方向への貫通孔として設けられる。モータ配線７８は、払出モータ１３のモータケースから外側に引き出された被覆電線により構成される。モータ配線７８には、コネクタ８０が結線される。払出モータ１３のモータ軸のような駆動軸８１（図９参照）には、駆動歯車４３が固定される。従動歯車４４は、払出構造体４の払出軸８２の右側に一体に設けられる。従動歯車４４の左面には、突起８３が、払出軸８２を中心とした円盤として一体に設けられる。被検出体４５は、従動歯車４４の右面に一体に設けられる。被検出体４５は、払出軸８２を中心とした環状壁として構成される。被検出体４５には、被検出部８４が設けられる。被検出部８４は、被検出体４５の直径線上に位置して相対峙する一対であって、被検出体４５の右面から左側に向かう内部に窪み、右側と内側および外側に開口する溝として構成される。払出構造体４は、従動歯車４４よりも左側に位置する払出軸８２の左半部に螺旋体８５を備える。螺旋体８５は、払出軸８２の左右方向に延びる軸心と平行な方向に球を１個ずつ分離する間隔で、払出軸８２の外周面から径方向外側に螺旋形状に突出する。払出軸８２の螺旋体８５よりも左側に突出した左端部には、払出軸８２より細い軸部８６が同軸に突出する。
【００１８】
払出構造体４、払出モータ１３、中継基板４１、軸受構造体４２を機構躯体６に取り付ける組立方について説明する。先ず、軸受構造体４２の右面が機構躯体６の開口に向けられ、軸受構造体４２が機構躯体６の開口から内部に挿入され、位置決め部７３が位置決め部５４に嵌め込まれ、躯体取付部７４が軸受取付部５３に嵌め込まれる。これによって、軸受構造体４２が機構躯体６の右側壁に取り付けられる。中継基板４１のコネクタ６５には、外部配線８８が接続される。外部配線８８は、被覆電線により構成される。外部配線８８には、コネクタ８９；９０が結線される。コネクタ８９が、コネクタ６５に機械的に嵌め込まれて通電可能に接続される。次に、外部配線８８の接続された中継基板４１の右面が機構躯体６の開口に向けられ、中継基板４１が機構躯体６の開口から内部に挿入され、切替取付部５２が切替逃避孔６９に嵌め込まれる。この場合、外部配線８８のコネクタの側の部分が機構躯体６の前側壁の内面に接触して配置され、外部配線８８の中間部が配線孔５５を通って機構躯体６の外側に引き出され、コネクタ９０が機構躯体６よりも前側に配置される。
【００１９】
そして、タッピングスクリューのような止ねじ９１が機構躯体６の開口からねじ挿入孔６８を経由して基板取付部５１の内部孔に締結される。これによって、中継基板４１が軸受構造体４２を左側から被覆し機構躯体６の右側壁に取り付けられ、軸逃避孔７０が軸受孔７５の左側に配置され、機構躯体６と中継基板４１および軸受構造体４２が互いに一体となるように組み立てられる。引き続き、従動歯車４４が機構躯体６の側に向けられ、払出構造体４が機構躯体６の開口から内部に挿入される。そして、払出軸８２の従動歯車４４よりも右側に突出した右端部が、中継基板４１の軸逃避孔７０を貫通して軸受構造体４２の軸受孔７５に回転可能に装着される。それに伴い、被検出体４５が位置検出器６６に接触しないように位置検出器６６の凹部に取り込まれる。
【００２０】
位置検出器６６が電力供給を受け、検出光が凹部の一側を形成する発光部から凹部の他側を形成する受光部に照射された状態において、被検出体４５が従動歯車３８と一体となって回転すると、被検出体４５で遮られていた位置検出器６６の検出光が被検出体４５の２分の１回転ごとに被検出部８４を通過して受光部で受光される。これによって、位置検出器６６が従動歯車３８の回転位置を従動歯車３８の２分の１回転ごとに１回検出して回転位置信号を出力する。払出構造体４、中継基板４１、軸受構造体４２が機構躯体６に取り付けられた構造は、図９参照。図６の切替構造体９４が機構躯体６に取り付けられた後に、払出モータ１３が機構躯体６に取り付けられる。払出モータ１３の機構躯体６への組立方については、図６で後述する。
【００２１】
図４を参照し、払出機構３の切替構造体９４の左側の構造について説明する。図４のａ図に示すように、切替構造体９４は、構造基盤９５、切替駆動源９６、切替弁９７を備える。構造基盤９５は、機構躯体６（図３参照）の内部に収納可能な大きさの方形な板状であって、駆動逃避部９８、払出挿入孔９９、抜球通路部１００、弁取付部１０１、駆動収容部１０２を備える。駆動逃避部９８は、構造基盤９５の後上部を弧状に除去した形態である。払出挿入孔９９は、構造基盤９５の後中部に、左右方向への貫通孔として構成される。抜球通路部１００は、構造基盤９５の後下部に、前後に分かれて設けられる。構造基盤９５の後下部には、前縦壁１０３、中縦壁１０４、後縦壁１０５が、前後方向に分かれ、構造基盤９５の後下部から左側に突出して設けられる。
【００２２】
構造基盤９５と前縦壁１０３および中縦壁１０４が、前側に位置する抜球通路部１００を、上下方向および左側に開口し、球を１個ずつ下方に誘導可能な形状に形成する。構造基盤９５および中縦壁１０４と後縦壁１０５が、後側に位置する抜球通路部１００を、上下方向および左側に開口し、球を１個ずつ下方に誘導可能な形状に形成する。構造基盤９５から左側に突出する、前縦壁１０３および後縦壁１０５の高さは互いに同一の寸法であり、中縦壁１０４の高さは前縦壁１０３および後縦壁１０５の高さよりも低い。弁取付部１０１は、前縦壁１０３および後縦壁１０５の左側部に、前縦壁１０３および後縦壁１０５の左面から右側に向かう内部に弧状に窪む、凹部として構成される。駆動収容部１０２は、切替駆動源９６を収容する部屋であって、左側に開口した箱形の部屋として構成される。駆動収容部１０２の前側壁には、ねじ挿入孔１０６が設けられる。
【００２３】
切替駆動源９６は、電磁ソレノイドにより構成される。つまり、切替駆動源９６では、励磁コイル１０７の巻き付けられたボビンが角筒状のヨーク１０８の内部に格納されて固定され、プランジャ１０９がヨーク１０８およびボビンに上下方向に移動可能に挿入され、コイルスプリングのような弾性体１１０がプランジャ１０９のヨーク１０８よりも下部に突出した部分に装着され、止輪のような固定具１１１がプランジャ１０９の弾性体１１０よりも下部に突出した部分に装着される。そして、励磁コイル１０７から延長された駆動配線１１２から励磁コイル１０７に電力が供給され、励磁コイル１０７が磁力を発生すると、プランジャ１０９が磁力で上方に吸引されて弾性体１１０を圧縮する。上記励磁コイル１０７に供給された電力が遮断され、励磁コイル１０７が消磁すると、弾性体１１０が伸長し、プランジャ１０９が下方に突出する。駆動配線１１２は、被覆電線により構成される。駆動配線１１２には、コネクタ１１３が結線される。
【００２４】
ヨーク１０８の前側壁には、取付孔１１４が設けられる。プランジャ１０９の下部には、連結部１１５および軸受孔１１６が設けられる。連結部１１５は、プランジャ１０９の下面から上方に向かう内部に窪み、下方および左右方向に開口する溝として構成される。軸受孔１１６は、連結部１１５を経由して前後方向への貫通孔として構成される。切替弁９７は、弁体１１７、弁軸１１８、レバー１１９を備える。弁体１１７は、方形な板状である。弁体１１７には、払出逃避部１２０が前後方向の中央部に設けられる。弁軸１１８は、弁体１１７の下部に、弁体１１７から前側および後側に突出して設けられる。レバー１１９は、前側に位置する弁軸１１８に、弁軸１１８の径方向外側に突出して設けられる。レバー１１９には、軸受孔１２１が前後方向への貫通孔として設けられる。
【００２５】
切替駆動源９６および切替弁９７の構造基盤９５への組立方について説明する。レバー１１９が連結部１１５に挿入され、レバー軸１２２がプランジャ１０９の軸受孔１１６およびレバー１１９の軸受孔１２１にわたって挿入され、止輪のような固着具１２３がレバー軸１２２のプランジャ１０９よりも前側および後側に突出した部分に装着される。これによって、切替駆動源９６および切替弁９７が互いに組み立てられる。その後、切替駆動源９６が切替構造体９４の左側から駆動収容部１０２に挿入され、切替弁９７の弁軸１１８が弁取付部１０１に回転可能に収容され、切替弁９７の弁体１１７が抜球通路部１００と対応し、止ねじ１２４が切替構造体９４の前側からねじ挿入孔１０６を経由して切替駆動源９６の取付孔１１４に締結される。これによって、図４のｂ図に示すように、切替駆動源９６および切替弁９７が構造基盤９５に取り付けられ、切替構造体９４の左側部分が構成される。
【００２６】
図５を参照し、切替構造体９４の右側の構造について説明する。図５のａ図に示すように、切替構造体９４は、構造基盤９５、抜球感知体１２６、弾性体１２７を備える。構造基盤９５は、感知取付部１２８、感知挿入孔１２９、歯車受部１３０、ねじ挿入孔１３１を備える。感知取付部１２８は、構造基盤９５の後部に、前後に分かれて相対峙し、構造基盤９５から右側に突出する。感知取付部１２８の互いに相対峙する面には、感知軸１３２が、感知取付部１２８の互いに相対峙する方向に突出して設けられる。感知挿入孔１２９は、相対峙する感知取付部１２８の間に位置し、前後に分かれ、左右方向に貫通する縦長孔とし、構造基盤９５の後部に構成される。歯車受部１３０は、構造基盤９５から払出挿入孔９９を囲むように右側に突出し、構造基盤９５に設けられる。ねじ挿入孔１３１は、切替構造体９４を機構躯体６（図６参照）に取り付ける取付部を構成するものであって、駆動逃避部９８と駆動収容部１０２との間の位置、中縦壁１０４（図４参照）と対応する位置の双方に対応し、構造基盤９５に左右方向の貫通孔として設けられる。
【００２７】
抜球感知体１２６は、感知基盤１３３、腕部１３４、被検出部１３５を備える。感知基盤１３３は、方形な板状である。感知基盤１３３の前後方向の中央上部には、ねじ逃避部１３６が設けられる。ねじ逃避部１３６は、感知基盤１３３の上面から下方に向かう内部に弧状に窪み、上方および左右方向に開口する、凹部として構成される。腕部１３４は、感知基盤１３３の前後方向の縁部から左側に突出し、かつ、感知基盤１３３よりも上方に突出する、一対に構成される。腕部１３４の感知基盤１３３よりも上方に突出した上部には、軸受孔１３７が、前後方向への貫通孔として設けられる。被検出部１３５は、ねじ逃避部１３６よりも下部に位置し、感知基盤１３３から右側に突出する。弾性体１２７は、ばね線材からなる渦巻部１３８の一端から第１係合部１３９を延長して設け、渦巻部１３８の他端から第２係合部１４０を延長して設けた構造である。
【００２８】
抜球感知体１２６および弾性体１２７の切替構造体９４への組立方について説明する。弾性体１２７の渦巻部１３８が一方の感知取付部１２８における感知軸１３２に装着され、弾性体１２７の第１係合部１３９が切替構造体９４の右側から感知挿入孔１２９を経由して切替構造体９４の左面に係合される。抜球感知体１２６の腕部１３４が切替構造体９４における一対の感知取付部１２８の間に挿入され、腕部１３４の軸受孔１３７が感知取付部１２８の感知軸１３２に嵌め込まれる。そして、弾性体１２７の第２係合部１４０が感知基盤１３３の右面に係合される。これによって、弾性体１２７が抜球感知体１２６を切替構造体９４の側に弾性的に押し動かし、一対の腕部１３４の右側部が感知挿入孔１２９を経由して一対の抜球通路部１００に個別に突出し、感知基盤１３３が切替構造体９４の右面に衝突する。これによって、図５のｂ図に示すように、抜球感知体１２６および弾性体１２７が構造基盤９５に取り付けられ、切替構造体９４が構成される。
【００２９】
図６を参照し、図４のｂ図および図５のｂ図に示すように構成された切替構造体９４を、機構躯体６に取り付ける組立方について説明する。この場合、機構躯体６は、払出構造体４、中継基板４１、軸受構造体４２、従動歯車４４、被検出体４５が組み付けられ、払出モータ１３および駆動歯車４３が組み付けられていない形態である。そして、感知取付部１２８が機構躯体６の側に向けられ、切替構造体９４が機構躯体６の開口から内部に収容されるのに伴い、払出構造体４の軸部８６および螺旋体８５が構造基盤９５の右側から払出挿入孔９９および払出逃避部１２０を通過して構造基盤９５の左側に突出し、構造基盤９５が切替取付部５２の左面に接触する。その後、タッピングスクリューのような止ねじ１４２が機構躯体６の左側から切替構造体９４のねじ挿入孔１３１を経由して切替取付部５２に締結される。これによって、歯車受部１３０が突起８３と接触するかまたは接触する程度に近づき、払出構造体４が機構躯体６から左側に抜けないように支持され、図５の被検出部１３５が抜球検出器６７（図３参照）の凹部から左側に離れて凹部と対応する。切替構造体９４が機構躯体６の内部に格納されて固定される。この場合、駆動配線１１２のコネクタ１１３が中継基板４１のコネクタ６３（図３参照）に機械的に嵌めこまれて通電可能に接続される。
【００３０】
次に、駆動歯車４３が機構躯体６の側に向けられ、払出モータ１３が機構躯体６の開口から内部に収容されるのに伴い、駆動歯車４３が切替構造体９４の左側から駆動逃避部９８を経由して切替構造体９４の右側に進入して従動歯車４４に噛み合わされ、払出モータ１３の取付足７７がモータ取付部５０の右面に接触する。そして、タッピングスクリューのような止ねじ９２が機構躯体６の左側から払出モータ１３のねじ挿入孔７９を経由してモータ取付部５０に締結される。これによって、払出モータ１３が構造基盤９５よりも左側に配置され、払出モータ１３が機構躯体６の内部に格納されて固定される。この切替構造体９４および払出モータ１３が機構躯体６に取り付けられた形態は、図８参照。
【００３１】
図７を参照し、払出機構３における検出構造体１４４の構造について説明する。図７のａ図に示すように、検出構造体１４４は、構造基盤１４５、払出球検出器５を備える。構造基盤１４５は、機構躯体６（図８参照）の内部に収納可能な大きさの方形な板状であって、払出球取入口１４７、検出収容部１４８、検出係合部１４９、賞球通路１５０、取付逃避部１５１、上係合部１５２、下係合部１５３を備える。払出球取入口１４７は、構造基盤１４５の中央部に、左右方向への貫通孔として構成される。検出収容部１４８は、払出球検出器５を取り付ける部屋であって、払出球取入口１４７よりも下部に位置し、構造基盤１４５から左側に突出し、構造基盤１４５の左側から右側に払出球検出器５を格納して装着する部屋として構成される。検出係合部１４９は、前後の溝で検出収容部１４８の上側壁に片持ちとして分離して形成された弾性体の左端部にフックを備える。賞球通路１５０は、構造基盤１４５の左下部に、構造基盤１４５の左面から右側に窪み、左側および上下方向に開口し、前後方向の中間に位置する隔壁によって、球を１個ずつ下方に誘導可能な縦長溝として、前後に分けられて設けられる。取付逃避部１５１は、構造基盤１４５の四隅から内部に突出する窪みを形成する。上係合部１５２は、前後の溝で構造基盤１４５の上側壁に片持ちとして分離して形成された弾性体の右端部にフックを備える。下係合部１５３は、構造基盤１４５の下側壁から下方に突出した凸部として構成される。
【００３２】
払出球検出器５は、中検出素子部１５７、前検出素子部１５８、後検出素子部１５９、コネクタ１６０を備える。中検出素子部１５７は、前後方向中央に位置する。前検出素子部１５８は、中検出素子部１５７から前側に離れる。中検出素子部１５７と前検出素子部１５８との間の隙間には、球が１個ずつ下方に通過する。後検出素子部１５９は、中検出素子部１５７から後側に離れる。中検出素子部１５７と前検出素子部１５８との間の隙間には、球が１個ずつ下方に通過する。払出球検出器５には、検出配線１６１が接続される。検出配線１６１は、被覆電線により構成される。検出配線１６１の両端部には、コネクタ１６２；１６３が結線される。コネクタ１６２がコネクタ１６０に機械的に嵌め込まれかつ導電可能に接続される。そして、払出球検出器５が電力供給を受け、例えば、検出光が中検出素子部１５７から前検出素子部１５８；１５９に向けて個別に照射され、前検出素子部１５８；１５９が検出光を受光している状態において、検出光が中検出素子部１５７と前検出素子部１５８との間の隙間を通過する球で遮断されることによって、前検出素子部１５８が払出球検出信号を出力し、検出光が中検出素子部１５７と後検出素子部１５９との間の隙間を通過する球で遮断されることによって、後検出素子部１５９が払出球検出信号を出力する。中検出素子部１５７と前検出素子部１５８および後検出素子部１５９が構造基盤１４５の左側から検出収容部１４８に挿入され、検出係合部１４９のフックが払出球検出器５の左面と対向し、検出係合部１４９が払出球検出器５に係合することによって、払出球検出器５が検出収容部１４８に取り付けられる。
【００３３】
図７のｂ図において、検出構造体１４４の構造基盤１４５は、前隔壁１６５、後隔壁１６６、中検出取込部１６７、前検出取込部１６８、後検出取込部１６９、賞球通路壁１７０、抜球通路壁１７１を備える。前隔壁１６５は、払出球取入口１４７の前縁部から右側に突出する縦壁として構成される。後隔壁１６６は、払出球取入口１４７の前縁部から右側に突出する縦壁として構成される。中検出取込部１６７は、中検出素子部１５７（図７のａ図参照）を格納する部屋であって、検出収容部１４８から右側に突出する。前検出取込部１６８は、前検出素子部１５８（図７のａ図参照）を格納する部屋であって、検出収容部１４８から右側に突出し、前隔壁１６５に配置される。後検出取込部１６９は、後検出素子部１５９（図７のａ図参照）を格納する部屋であって、検出収容部１４８から右側に突出し、後隔壁１６６に配置される。賞球通路壁１７０は、前隔壁１６５の右縁部と後隔壁１６６の右縁部とを繋ぐ壁である。抜球通路壁１７１は、賞球通路壁１７０から右側に突出し、前後に分かれ、上下方向に長い縦壁として構成される。
【００３４】
図８を参照し、検出構造体１４４を機構躯体６に取り付ける組立方について説明する。図８のａ図に示すように、機構躯体６は、払出構造体４、中継基板４１、軸受構造体４２、従動歯車４４、被検出体４５、払出モータ１３および駆動歯車４３が組み付けられた形態である。そして、前隔壁１６５が機構躯体６の方に向けられ、検出構造体１４４が機構躯体６の開口から内部に挿入されるのに伴い、払出構造体４が払出球取入口から検出構造体１４４の左側に突出し、検出構造体１４４の取付逃避部１５１が機構躯体６の筐体取付部８の内側に嵌め込まれ、検出構造体１４４の上係合部１５２が機構躯体６の上係合部５６に嵌め込まれ、検出構造体１４４の下係合部１５３が機構躯体６の下左係合部５７に嵌め込まれ、賞球通路１５０の下部が機構躯体６の切替収容部５９に嵌め込まれる。これによって、図８のｂ図に示すように、検出構造体１４４が機構躯体６に取り付けられる。
【００３５】
図９を参照し、球払出装置１において、タンク構造体２と払出機構３とが互いに取り付けられる場合について説明する。払出機構３の払出構造体４が庇１６より下部を通過して払出収容部１２に収納され、軸部８６が払出軸受孔１７に嵌め込まれ、払出球検出器５の一部がタンク構造体２の下開口２２を経由して払出収容部１２の下部に配置される。この払出球検出器５の一部が払出収容部１２の下部に配置された構造は、図１０を参照。
【００３６】
図１０を参照し、球Ｐ２が球貯蔵部１０の払出収容部１２から賞球通路１５０に払い出される動作について説明する。図外の制御装置が図２の切替駆動源９６への電力供給を遮断し、図１０に示すように、切替弁９７が弁軸１１８より真上に垂直状に突出して払出構造体４の払出軸８２と交差している。その状態において、制御装置が賞球払出処理によって払出モータ１３を一方向に駆動し、払出モータ１３が払出構造体４を払出軸８２の周方向に回転する。これによって、螺旋体８５の隙間に取り込まれた球Ｐ１が、払出構造体４の一方向への駆動に伴い払出収容部１２から払出球取入口１４７を通過して払出機構３の方に移動されて球Ｐ２となる。球Ｐ２は、螺旋体８５から外れて自重で落下する。
【００３７】
この落下する球Ｐ２は、矢印Ｘ１で示すように、垂直状に突出した切替弁９７によって、抜球通路部１００の方向に行かないように遮られ、賞球通路１５０に案内され、賞球通路１５０から下方に払い出される。賞球通路１５０を落下する球Ｐ２は、払出球検出器５で検出される。払出球検出器５は、球Ｐ２を検出するごとに、払出検出信号を制御装置に出力する。制御装置は、払出検出信号をカウントアップまたはカウントダウンすることによって、球払出装置１から賞球として払い出される球の個数を管理し、払出モータ１３を停止する。カウントアップの場合、カウントアップした値が払出モータ１３を一方向に駆動するきっかけとなった賞球払出数に一致すると、制御装置が払出モータ１３を停止する。カウントダウンの場合、払出モータ１３を一方向に駆動するきっかけとなった賞球払出数を払出検出信号の入力ごとに減算し、賞球払出数がゼロになると、制御装置が払出モータ１３を停止する。
【００３８】
図１１を参照し、球Ｐ２が球貯蔵部１０の払出収容部１２から抜球通路部１００に払い出される動作について説明する。制御装置が図２の切替駆動源９６に電力を供給し、図１１に示すように、切替弁９７が弁軸１１８を中心としてタンク構造体２の側に回転して払出構造体４の払出軸８２よりも下部に配置される。その状態において、制御装置が抜球払出処理によって払出モータ１３を一方向に駆動し、払出モータ１３が払出構造体４を払出軸８２の周方向に回転する。これによって、螺旋体８５の隙間に取り込まれた球Ｐ１が、払出構造体４の一方向への駆動に伴い払出収容部１２から払出球取入口１４７を通過して払出機構３の方に移動されて球Ｐ２となる。球Ｐ２は、螺旋体８５から外れて自重で下方に落下する。
【００３９】
この落下する球Ｐ２は、矢印Ｘ２で示すように、タンク構造体２の側に斜めに突出した切替弁９７によって、賞球通路１５０の方向に行かないように遮られ、抜球通路部１００に案内され、抜球通路部１００から下方に払い出される。抜球通路部１００を落下する球Ｐ２は、抜球感知体１２６を中継基板４１の方向に押す。抜球感知体１２６の下部が、感知軸１３２を中心として抜球検出器６７の方向に回転し、被検出部１３５が抜球検出器６７で検出される。抜球検出器６７は、被検出部１３５を検出するごとに、球抜き検出信号を制御装置に出力する。制御装置は、球抜き検出信号の入力される時間の間隔によって、球払出装置１から抜球として払い出される球がタンク構造体２に存在するか否かを管理し、払出モータ１３を停止する。抜球として払い出される球がタンク構造体２に存在する場合、払出モータ１３の回転数が一定であれば、球抜き検出信号の入力される時間の間隔は、螺旋体８５における払出軸８２の軸心と平行な方向の間隔（ピッチ）によって一定となる。そして、抜球として払い出される球がタンク構造体２に不在になると、球抜き検出信号の入力される時間の間隔が上記一定の時間の間隔以上となる。よって、球抜き検出信号の入力される時間の間隔が一定の時間の間隔以上となると、制御装置が払出モータ１３を停止する。
【００４０】
図１２のａ図を参照し、球払出装置１を備えたパチンコ遊技機について説明する。パチンコ遊技機の遊技機枠１７３は、固定枠１７４の前側に可動枠１７５を開閉可能に備える。固定枠１７４は、遊技店の島と呼ばれる遊技機設置構造体に取り付けられる外枠とも呼ばれる。可動枠１７５は、遊技盤や制御装置など遊技に必要な部品を取り付ける前枠とも呼ばれる。可動枠１７５は、左側に位置するヒンジ１７６を中心とし、固定枠１７４の前側で前側に開かれかつ後側に閉じられるように、片開き可能である。可動枠１７５には、開口部１７７が、前後方向の貫通孔として設けられる。開口部１７７は、遊技盤の裏面に取り付けられた球案内構造体や制御装置などの裏側部品を可動枠１７５の前側から裏側に貫通させるか、または、遊技盤の前面に取り付けられたガイドレールや入賞部品などの前側部品を可動枠１７５の裏側から前側に貫通させるためのものである。
【００４１】
球払出装置１では、タンク構造体２が、開口部１７７の上部に位置するように、可動枠１７５の裏面に、ねじのような固着具で、可動枠１７５の裏側から取り付けられる。中継樋３１の下部には、案内樋１７８が接続される。案内樋１７８は、開口部１７７の右側に位置するように、可動枠１７５の裏面に、ねじのような固着具で、可動枠１７５の裏側から取り付けられ、賞球通路１７９および抜球通路１８０を備える。賞球通路１７９は、中継樋３１の賞球通路１５０に繋がる。賞球通路１７９から排出される球は、受樋１８１で受け止められる。受樋１８１は、開口部１７７の下部に位置するように、可動枠１７５の裏面に、ねじのような固着具で、可動枠１７５の裏側から取り付けられる。受樋１８１で受け止められた球は、受樋１８１から図外の皿構造体の受皿部に排出される。皿構造体は、可動枠１７５の前面に取り付けられる。皿構造体の受皿部は、遊技者が遊技に使用する球を入れる部分である。そして、球が受皿部に存在する状態において、遊技者が皿構造体の前面に設けられた発射操作機構を操作すると、皿構造体の裏側に位置するように、可動枠１７５の前面に取り付けられた発射機構が受皿部から供給された球を１個ずつ遊技盤のガイドレールで囲まれた内側の遊技領域に向けて発射する。抜球通路１８０は、中継樋３１の抜球通路部１００に繋がる。抜球通路１８０から排出される球は、可動枠１７５の裏側から遊技機設置構造体の回収機構に排出される。回収機構に排出された球は、遊技機設置構造体の補給機構に戻される。
【００４２】
最良の形態によれば、図３において、払出構造体４、中継基板４１、軸受構造体４２、駆動歯車４３、従動歯車４４、被検出体４５が機構躯体６に組み込まれる、次に、図６において、払出モータ１３および切替構造体９４が機構躯体６に組み込まれる。この場合、図３におけるモータ配線７８のコネクタ８０が中継基板４１のコネクタ６３に嵌め込まれて接続される。図６における駆動配線１１２のコネクタ１１３が中継基板４１のコネクタ６４に嵌め込まれて接続される。よって、払出機構３の電気部品が中継基板４１に集合されて配線される。図７において、検出構造体１４４が機構躯体６に組み込まれる。よって、検出構造体１４４が上記中継基板４１、軸受構造体４２、駆動歯車４３、従動歯車４４、被検出体４５を覆い隠し、図８のｂ図に示すように、払出構造体４や払出球検出器５が検出構造体１４４から外側に突出し、外部配線８８が機構躯体６から外側に突出する。そして、図８のｂ図における外部配線８８のコネクタ９０が図１における中継基板２６の１つのコネクタ２７に嵌め込まれて接続される。したがって、図１において、払出機構３がタンク構造体２に止ねじ７で固定され、コネクタ９０が１つのコネクタ２７に接続されることによって、球払出装置１が球貯蔵部１０から球を賞球または抜球として払い出すことが可能な構造となる。上記止ねじ７によるタンク構造体２と払出機構３との固定が解除されることによって、払出機構３がタンク構造体２から取り外されるので、払出機構３の内部から球や混入した異物を除去する保守作業をする場合、払出機構３をタンク構造体２から取り外したり、払出機構３をタンク構造体２に取り付けたりする作業が簡単であるという利点がある。払出機構３をタンク構造体２から取り外す場合、コネクタ９０と１つのコネクタ２７との接続を解除してもよい。
【００４３】
図１０および図１１に示すように、払出機構３がタンク構造体２に固定された場合、払出構造体４の螺旋体８５が、払出機構３の賞球通路１５０や抜球通路部１００からタンク構造体２の方向に配置されている。したがって、螺旋体８５によって払出収容部１２から払出機構３の内部に運搬された球は、螺旋体８５から離れて自重で落下するので、その部分で、球詰まりが発生することも阻止することができるという利点がある。切替弁９７は、弁軸１１８を中心として払出軸８２の軸心と平行な方向に往復回転運動することによって、払出構造体４によってタンク構造体２から払出機構３に運搬された球を賞球通路１５０または抜球通路部１００に誘導するように通路を切り替える。したがって、電磁ソレノイドのような切替駆動源９６で切替弁９７を動かすためのリンク機構が、簡単な構造でよいという利点がある。
【産業上の利用可能性】
【００４４】
図１２のｂ図に示すように、球払出装置１が球を開口部１７７の上部から左側を経由して下方に排出するようにしてもよい。この場合、払出機構３や中継樋３１がタンク構造体２の左側に設けられるように、タンク構造体２における球貯蔵部１０の後側壁が開口部１７７の上部に位置して可動枠１７５の裏面に取り付けられ、案内樋１７８および受樋１８１が開口部１７７の左側に位置して可動枠１７５の裏面に取り付けられる。
【図面の簡単な説明】
【００４５】
【図１】タンク構造体と払出機構との分解斜視図（最良の形態）。
【図２】中継樋の分解された球払出装置の斜視図（最良の形態）。
【図３】払出構造体、機構躯体、払出モータ、中継基板、軸受構造体、駆動歯車、従動歯車、被検出体の分解斜視図（最良の形態）。
【図４】ａ図は切替構造体の左側分解斜視図、ｂ図は切替構造体の左側組立斜視図（最良の形態）。
【図５】ａ図は切替構造体の右側分解斜視図、ｂ図は切替構造体の右側組立斜視図（最良の形態）。
【図６】切替構造体と機構躯体との分解斜視図（最良の形態）。
【図７】ａ図は検出構造体の左側分解斜視図、ｂ図は検出構造体の右側の斜視図（最良の形態）。
【図８】ａ図は検出構造体と機構躯体との分解斜視図、ｂ図は検出構造体と機構躯体との組立斜視図（最良の形態）。
【図９】タンク構造体と払出機構との組立過程の縦断面図（最良の形態）。
【図１０】球が賞球通路に払い出される過程の縦断面図（最良の形態）。
【図１１】球が抜球通路に払い出される過程の縦断面図（最良の形態）。
【図１２】ａ図は最良の形態の球払出装置を備えたパチンコ遊技機の裏面図、ｂ図は異なる形態の球払出装置を備えたパチンコ遊技機の裏面図。
【符号の説明】
【００４６】
１      球払出装置
２      タンク構造体
３      払出機構
４      払出構造体
５      払出球検出器
６      機構躯体
７      止ねじ
１３    払出モータ
４１    中継基板
９４    切替構造体
９７    切替弁
１００  抜球通路部
１１８  弁軸
１４４  検出構造体
１５０  賞球通路
【図１】
2007111259.tif 000003
【図２】
2007111259.tif 000004
【図３】
2007111259.tif 000005
【図４】
2007111259.tif 000006
【図５】
2007111259.tif 000007
【図６】
2007111259.tif 000008
【図７】
2007111259.tif 000009
【図８】
2007111259.tif 000010
【図９】
2007111259.tif 000011
【図１０】
2007111259.tif 000012
【図１１】
2007111259.tif 000013
【図１２】
2007111259.tif 000014